(57)【要約】  本発明は、柄及び交換可能なカートリッジを備え、使用中にユーザの皮膚に液剤が供給されることを可能にするシェービングシステムに関する。シェービングシステムは、液剤の通過に供される内部の通路（２）を有する柄（１）と、柄（１）の通路（２）と連通したスロット型通路（４）を有する、柄（１）の近位端にあるアダプタヘッド（３）と、ヘッド（３）のスロット型通路（４）と連通した内部スロット型通路（６）を有してヘッド（３）の近位端に設けられたフローティングアームの形態のカートリッジホルダ（５）と、交換可能なカートリッジ（７）、及び、液剤供給源に接続される、液剤の通過に供される内部の通路（９）を有するアダプタ（８）とを備える。アダプタ（８）の柄（１）に対する結合、柄（１）のヘッド（３）に対する結合、及びヘッド（３）のカートリッジホルダ（５）に対する結合は、ピン／プラグ接続によって分離可能である。この結果、シェービングの質及びシェーバの濯ぎが向上し、設計の複雑さが低減する。
2020515373.tif 000002
【特許請求の範囲】
【請求項１】
シェービングシステムであって、
液剤を通過させる内部通路を有し、近位端及び遠位端を有する柄と、
前記柄の前記内部通路に連通したスロット型通路を有する、前記柄の近位端にある移行ヘッドと、
前記移行ヘッドの前記スロット型通路と連通し、前記移行ヘッドの近位端にある内部スロット型通路を有するフローティングアームの形態のカートリッジホルダと、
脱着可能なカートリッジと
を備え、前記柄と前記移行ヘッドとの接続、および前記移行ヘッドと前記カートリッジホルダとの接続は、ピン／プラグ接続を用いて分離可能になっており、
前記柄の遠位端にはソケットが設けられており、該ソケットは、液剤供給源に接続されて液剤を通過させる前記内部通路を有するアダプタの近位端の挿入に供され、
前記カートリッジとカートリッジホルダとの接続は、該カートリッジホルダ内でカートリッジが浮遊できることを確保するように構成されている、シェービングシステム。
【請求項２】
前記カートリッジホルダは穿孔された内部の仕切りを備え、該仕切りは前記ヘッドの前記スロット型通路を覆い、前記カートリッジに接続される前記カートリッジホルダの延びたフィンのうちの少なくとも１つが弾性を有する、請求項１に記載のシェービングシステム。
【請求項３】
前記柄は、前記通路の内側の液剤の流れを制御する機構を備える、請求項１に記載のシェービングシステム。
【請求項４】
内部通路を有するアダプタを備え、該内部通路は、前記液剤供給源に接続され、前記柄の前記通路と連通し、
前記アダプタのピン／プラグ近位端の外面に円環状のカラーが設けられ、
前記通路に沿った前記柄の遠位端における前記ソケットの内側に、ばね荷重がかけられたブッシングが取り付けられ、該ブッシングは、前記ソケットを移動するように構成され、前記カラーの外径に適合する内径を有する、請求項１に記載のシェービングシステム。
【請求項５】
前記アダプタの遠位部は内ねじ又は外ねじを有するか、あるいは前記アダプタの外側の遠位部分に円環状のカラーが設けられている、請求項４に記載のシェービングシステム。
【請求項６】
ピン／プラグ接続を用いて前記柄の近位端に接続されたアタッチメントをさらに備え、該アタッチメントは、オーラルケアに供される洗浄部材が固定されたヘッドを備え、前記アタッチメントは、前記柄の内側の前記通路および前記洗浄部材が固定された前記ヘッドの外面に相互接続された通路を有する、請求項１に記載のシェービングシステム。
【発明の詳細な説明】
【技術分野】
【０００１】
本発明は、柄及び交換可能なカートリッジを備え、使用中にユーザの皮膚に液剤を供給することが可能になっているシェービングシステムに関するものである。
【背景技術】
【０００２】
柄及び交換可能なカートリッジを備え、柄の内部に液剤容器および液剤をカートリッジ刃に供給する通路が存在するシェービングシステム（安全かみそり）が知られている（例えば、特許文献１、特許文献２、特許文献３、特許文献４および特許文献５、並びにこれらの特許に参照された多数の他の特許を参照）。このようなかみそりの製造コストは、製造局面が多くなるために増加する傾向があり、さらには、シェービングしない間にかみそりの内側に残存する液剤があると、微生物を増殖させて、ユーザの皮膚に例えば皮膚炎などを引き起こす悪影響を与える（この問題は、特許文献２、特許文献５および特許文献６に記載されている）。
【０００３】
液剤を通過させる内部の通路を有する柄を備えたかみそりが知られており、その柄の近位端には、柄からその方向に拡がり、交換可能なカートリッジを固定する機構を含むヘッドが設けられている。柄の遠位端には、チューブによるかみそりの液剤供給源への接続に供される開口部が設けられている。柄には、通路に沿って液剤の流れを制御する弁機構が設けられている。ヘッドの内側には、通路に接続された、刃の幅全体にわたって刃に液剤を供給するために用いられるスロット状の開口部が存在する。柄の遠位端と液剤供給源のチューブとの間には螺合接続が存在する。
【０００４】
柄とカートリッジを保持するヘッドとは一体品として作製されているため、刃の当り角は、柄に対するヘッドの傾斜角度によって決められることとなり、身体の様々な部位のシェービングには必ずしも便利でない。柄と液剤供給源のチューブとの間の螺合接続は、かみそりの製造時と使用時との両方において面倒である。各製造者が、特定の型のカートリッジを必要とする様々な型のかみそりを製造することも知られている。各かみそり型には、専用のカートリッジ型が存在する。原型のかみそりは一体品として作製され、製造者は、特定のカートリッジ型を作製することを止めて、その製造者にとっての新型及び改良型のかみそり及びカートリッジに移行する必要があり、前述のかみそりは廃棄されなければならないことになる。
【先行技術文献】
【特許文献】
【０００５】
【特許文献１】露国特許第２４１３６０５号明細書
【特許文献２】露国特許第２４８７０１０号明細書
【特許文献３】露国特許第２６０５０３１号明細書
【特許文献４】露国特許第２５５７１１６号明細書
【特許文献５】露国特許第２５０８９８２号明細書
【特許文献６】露国特許第２５３３３０６号明細書
【特許文献７】露国特許第２６０１９３号明細書
【特許文献８】露国特許第２５４９３１５号明細書
【特許文献９】露国特許第２４５５９１４号明細書
【特許文献１０】米国特許第４，１７７，５５６号明細書
【発明の概要】
【発明が解決しようとする課題】
【０００６】
本発明が解決しようとする課題は、高質かつ便利なシェービングのための簡素かつ安価なシェービングシステムを作ると共に、シェービングシステムの個々の要素を衛生用途の他の器具と組み合わせて使用することの可能性を提供することである。
【課題を解決するための手段】
【０００７】
この課題は、シェービングシステムが、液剤を通過させる内部通路を有し、近位端及び遠位端を有する柄と、柄の近位端に取り付けられ、柄の内部通路に連通したスロット型通路を有する移行ヘッドと、ヘッドのスロット型通路と連通しヘッドの近位端にある内部スロット型通路を有する、フローティングアームの形態のカートリッジホルダと、脱着可能なカートリッジとを備えることによって解決される。ヘッドと柄と接続及び柄とカートリッジと接続は、ピン／プラグ接続によって分離可能になっている。柄の遠位端は、アダプタの近位端の挿入に供されるソケットを含み、アダプタは液剤用の内部の通路が設けられ液剤供給源に接続される。カートリッジとカートリッジホルダとの接続は、ホルダ内でカートリッジを浮遊させるように構成されている。
【０００８】
カートリッジホルダは、穿孔された内部の仕切りを備えることができ、仕切りはヘッドのスロット型通路を覆う。カートリッジに接続されるその延びたフィンのうちの少なくとも１つが弾性を有する。
【０００９】
柄は、通路の内側の液剤の流れを制御する機構を備えることができる。
【００１０】
シェービングシステムは、液剤供給源に接続される内部の通路を有するアダプタを備えることができ、アダプタは柄の内部通路と相互接続されており、アダプタにはピン／プラグ近位端の外面に円環状のカラーが設けられている一方、通路に沿った柄の遠位端におけるソケットの内側に、ばね荷重がかけられたブッシング取り付けられている。ブッシングはソケットを移動するように構成され、カラーの外径に適合する内径を有する。
【００１１】
アダプタの遠位端は雌ねじ又は雄ねじを含んでもよく、アダプタの外側の遠位部分には円環状のカラーを設けることができる。
【００１２】
シェービングシステムは、ピン／プラグ接続を用いて柄の近位端に接続されたアタッチメントをさらに備えることができる。アタッチメントは、オーラルケアに供される洗浄部材が固定されたヘッドを備え、アタッチメントは、柄の内側の通路と洗浄部材が固定されたヘッドの外面とに相互接続された通路を有する。
【００１３】
システムを個々の構成要素から構成することにより、複雑なモールド（ダイ）が製造に不要になるため、製造コストを低減することが可能になる。そのうえ、カートリッジホルダ及びヘッドを分離可能にすることにより、対応する装着（ドッキング）ソケット／拡張部が存在すれば、新型のカートリッジの製造に切り替える場合に、既存のシェービングスティックを使用する（すなわち、既存のシェービングスティックに新型のカートリッジを取り付ける）ことが可能である。これにより、消費者の出費が低減される。カートリッジホルダ内に穿孔された仕切りが存在することにより、ヘッド内のスロット型通路を毛（剛毛）で詰まらせる可能性が著しく低減され、ホルダはヘッドに分離可能に取り付けられているため、スロット型通路が実際に詰まった（塞がれた）場合でも、スロット型通路は容易に除去及び洗浄できる。システム要素のピン／プラグ接続により、システムの手軽かつ便利な組立て及び分解が確保される。アダプタが存在することにより、液剤供給源（水供給源）へのシステムの便利な接続が可能になる。例えば、アダプタの遠位部をねじ状にすることによって、アダプタをシャワーホースに恒久的に接続することが可能になる。この場合に、シャワーヘッドには、又はシャワーヘッドのホース部には、受け（雌）アダプタが恒久的に取り付けられる。これにより、単一のホースを使用して様々な手順を実行することが可能になる。アダプタの遠位部が円環状のカラーを含む場合に、システムは、端部に弾性部材（カップリング）が取り付けられたホースを使用することによって、（原型におけるように）水栓のスパウトに接続できる。シェービングシステムがオーラルケアアタッチメントを有する場合に、シェービングシステムの部材（アダプタ、柄などの部品／組立品）を、さらなる衛生的な手順の実行に使用することが可能になる。液剤の流れの制御機構が存在することにより、システムを使用する利便性が増す。
【００１４】
本発明は、図面によって例示される。
【図面の簡単な説明】
【００１５】
【図１】デバイス組立品の長手方向断面を示す。
【図２】部材が分離された状態のデバイス組立品の長手方向断面を示す。
【図３】歯ブラシのアタッチメントの断面を示す。
【発明を実施するための形態】
【００１６】
シェービングシステムは、近位端及び遠位端を有する、液剤を通過させる内部の通路（２）を有する柄（１）と、柄（１）の通路（２）と相互接続されたスロット型通路（４）を有する、柄（１）の近位端にあるアダプタヘッド（３）と、ヘッド（３）の近位端にあってヘッド（３）のスロット型通路（４）と相互接続された内部スロット型通路（６）を有するフローティングアームの形態のカートリッジホルダ（５）と、脱着可能なカートリッジ（７）、及び、液剤を通過させる内部の通路（９）を有する、液剤供給源に接続されるアダプタ（８）とを備える。アダプタ（８）と柄（１）と接続、柄（１）とヘッド（３）との接続、及びヘッド（３）とカートリッジホルダ（５）との接続は、ピン／プラグ接続によって分離可能となっている。柄（１）の遠位端には、アダプタ（８）のピン／プラグ近位端に対するソケット（１０）が設けられている。柄（１）には、通路（２）内の液剤の流れを制御する機構（１１）を装着することができる。この機構の設計は、詳細に開示されないが、先行技術から知られており、例えば、原型におけるものと同じである。あるいは、通路（１）の区域は弾性チューブから作製でき、通路の開閉は、柄の外面上に位置するボタンを押下することによって行われることとなる。又は、流れの制御は、機構の次の位置、「開」、「閉」、「増−減」で行われる。機構（１１）は全く無くてもよく、流れの制御は、給水栓によって直接に行なうことができる。カートリッジホルダ（５）には、内部の穿孔された仕切り（１２）が設けられており、仕切り（１２）は、ヘッド（３）のスロット型通路（４）の詰まりを防止する。ホルダ（５）の少なくとも１つの延在するフィン（１３）は弾性を有し、このことがカートリッジ（７）の取付け及び固定に役立つ。カートリッジ（７）とカートリッジホルダ（５）と接続は、カートリッジの浮遊を可能にするように構成されており、このことが、使い勝手および様々な身体部分のシェービングの質を向上させる。柄のフローティングヘッド又は弾性を有する（可撓性の）近位部を有するシェービングスティックの型は、先行技術から周知である。アダプタ（８）の遠位部は、給水源への接続に供される雄（若しくは雌）ねじ（１４）又は円環状のカラー（１５）を備えてもよい。特定の実施形態において、アダプタ（８）のピン／プラグ端部（１１）の外面に円環状のカラー（１６）が設けられている一方、通路（２）に沿った柄（１）の遠位端におけるソケット（１０）の内側に、ばね荷重がかけられたブッシング（１７）が取り付けられ、ブッシング（１７）は、ソケットを移動するように構成され、カラーの外径に適合する内径を有する。アダプタが柄に挿入されていないとき、ばねは、通路（２）の長手方向軸線に対して、軸線方向へのブッシングの変位を生じさせる。柄にアダプタを挿入するために、例えば、ボタンを用いることによって、ブッシング（１７）の軸線がアダプタの挿入された端部の軸線に一致する位置へブッシングを移動させる。カラー（１６）がブッシング（１７）を通過し、水流の方向にスロット（１０）内に取り付けられた弾性環ガスケット（１８）に対してアダプタの端部が強く押圧された後に、ボタンが解放され、アダプタ（８）が柄（１）に固定される。しかし、これは、単なる一例の特定の実施形態にすぎない。（導管路）部品のピン／プラグ接続の、多数の信頼性を有するシール設計が存在する。明らかに、シェービングスティックは、アダプタを使用せずに、通常の使用が可能である。洗浄部材を有するヘッド（２０）を収容するアタッチメント（１９）は、柄（１）内の通路（２）と相互接続された、及びヘッドの外面と相互接続された通路を有する。アタッチメント（１９）は、柄（１）に取り付けられ、オーラルケアを行うことが可能になる。このことにより、デバイス要素の用途の分野が拡大される。ヘッドに液剤が供給される歯ブラシは、特許文献７、特許文献８、及び特許文献９で知られている。
【００１７】
このデバイスは製造が容易であり、直観的に組立てでき、使い勝手がよい。シェービング時に、水は潤滑剤として作用する。刃から毛を除去する洗浄も提供され、このことがシェービングの質及び利便性を向上させる。ヘッドを有する既存の柄に新型のカートリッジを採用するための条件が創出されており、このことが消費者の出費を低減する。付加的なオーラルケアアタッチメントにより、かみそりのアダプタを伴う柄を使用することが可能になり、このことも消費者の出費を低減する。なお、特許請求の範囲によって規定された本発明の範囲内での様々な変更及び変形は当業者に明らかであろうことから、本発明の特定の実施形態の提供された記載は説明目的で与えられている。
【００１８】
情報の出典
１．特許文献１０、米国特許分類３０／４１、国際特許分類Ｂ２６Ｂ２１／４０、公開日：１９７９年１２月１１日
【図１】
2020515373.tif 000003
【図２】
2020515373.tif 000004
【図３】
2020515373.tif 000005
【国際調査報告】
2020515373.tif 000006
2020515373.tif 000007